(57)【要約】【課題】容量性負荷を高効率に駆動できる容量性負荷駆動装置を提供する。【解決手段】コンデンサＣ３と行電極間容量Ｃｐとの間に設けられた、コイルＬ５、スイッチＳＸ−Ｕ１、コイルＬ６およびスイッチＳＸ−Ｄ１を含む１段目の共振回路と、コンデンサＣ４と行電極間容量Ｃｐとの間に設けられた、コイルＬ７、スイッチＳＸ−Ｕ２、コイルＬ８およびスイッチＳＸ−Ｄ２を含む２段目の共振回路と、コンデンサＣ３の端子間電圧が所定範囲外に変動したときに検出信号を出力する中点電圧検出部５０と、を備える。コイルＬ５と行電極間容量Ｃｐとの共振、またはコイルＬ６と行電極間容量Ｃｐとの共振により行電極Ｘの電位を０Ｖから１／２Ｖｓの間で遷移させ、コイルＬ７と行電極間容量Ｃｐとの共振、またはコイルＬ８と行電極間容量Ｃｐとの共振により行電極Ｘの電位を１／２ＶｓからＶｓの間で遷移させる。【選択図】      図２
2004272041.tif 000002
【特許請求の範囲】
【請求項１】
第１の電源と、
第２の電源と、
前記第１の電源と負荷容量との間に接続された第１の共振遷移電圧発生手段と、
前記第２の電源と前記負荷容量との間に接続された第２の共振遷移電圧発生手段と、
前記第１の電源または前記第２の電源の電圧が所定範囲外に変動したときに検出信号を出力する電圧変動検出手段と、を備え、
前記第１の共振遷移電圧発生手段は、第１のスイッチ手段および第１のインダクタンスを含み、前記第１のインダクタンスと前記負荷容量との共振により前記容量性負荷の電圧を基準電圧と第１の電圧の間で遷移させ、
前記第２の共振遷移電圧発生手段は、第２のスイッチ手段および第２のインダクタンスを含み、前記第２のインダクタンスと前記負荷容量との共振により前記容量性負荷の電圧を前記第１の電圧と第２の電圧との間で遷移させることを特徴とする容量性負荷駆動装置。
【請求項２】
前記所定範囲は上限および下限により規定され、前記電圧変動検出手段は前記第１の電源または前記第２の電源の電圧が前記上限または前記下限を越えたときに検出信号を出力することを特徴とする請求項１に記載の容量性負荷駆動装置。
【請求項３】
前記第１の電源または前記第２の電源はキャパシティからなることを特徴とする請求項１または２に記載の容量性負荷駆動装置。
【発明の詳細な説明】
【０００１】
【発明の属する技術分野】
本発明は、容量性負荷を駆動する容量性負荷駆動装置に関する。
【０００２】
【従来の技術】
例えば、プラズマディスプレイパネルを駆動する駆動装置においては、プラズマディスプレイに高電圧の駆動パルスを印加する必要があるため、高い出力電圧が得られる駆動装置が用いられている。しかし、駆動装置側からみた場合、プラズマディスプレイパネルは容量性負荷となるため、容量の充電に無駄な電力を消費するという問題がある。
【０００３】
【発明が解決しようとする課題】
本発明は、上記問題点に鑑みてなされたものであり、容量性負荷を高効率に駆動できる容量性負荷駆動装置を提供すること等を目的とする。
【０００４】
【課題を解決するための手段】
請求項１に記載の容量性負荷駆動装置は、第１の電源と、第２の電源と、前記第１の電源と負荷容量との間に接続された第１の共振遷移電圧発生手段と、前記第２の電源と前記負荷容量との間に接続された第２の共振遷移電圧発生手段と、前記第１の電源または前記第２の電源の電圧が所定範囲外に変動したときに検出信号を出力する電圧変動検出手段と、を備え、前記第１の共振遷移電圧発生手段は、第１のスイッチ手段および第１のインダクタンスを含み、前記第１のインダクタンスと前記負荷容量との共振により前記容量性負荷の電圧を基準電圧と第１の電圧の間で遷移させ、前記第２の共振遷移電圧発生手段は、第２のスイッチ手段および第２のインダクタンスを含み、前記第２のインダクタンスと前記負荷容量との共振により前記容量性負荷の電圧を前記第１の電圧と第２の電圧との間で遷移させることを特徴とする。
【０００５】
【発明の実施の形態】
以下、図１〜図６を参照して、本発明によるプラズマディスプレイパネル駆動装置の一実施形態について説明する。
【０００６】
図１（ａ）は本実施形態のプラズマディスプレイパネル駆動装置１００の構成を示すブロック図、図１（ｂ）はプラズマディスプレイパネル駆動装置１００により駆動されるプラズマディスプレイパネルの構成を示す図である。
【０００７】
図１（ａ）に示すように、本実施形態のプラズマディスプレイパネル駆動装置１００は、駆動パルスの発生を制御するための制御部１００Ａと、制御部１００Ａからの制御信号に基づいてプラズマディスプレイパネル１０を駆動する駆動部１００Ｂとを備える。
【０００８】
図１（ｂ）に示すように、プラズマディスプレイパネル１０は、互いに平行に設けられた列電極Ｄ１〜Ｄｍと、列電極Ｄ１〜Ｄｍに直交して設けられた行電極Ｘ１〜Ｘｎと、行電極Ｙ１〜Ｙｎとを備える。行電極Ｘ１〜Ｘｎおよび行電極Ｙ１〜Ｙｎは交互に配置され、一対の行電極Ｘｉ（１≦ｉ≦ｎ）および行電極Ｙｉ（１≦ｉ≦ｎ）により第ｉ番目の表示ラインを構成する。列電極Ｄ１〜Ｄｍおよび行電極Ｘ１〜Ｘｎ，Ｙ１〜Ｙｎは、放電ガスを封着するように対向する２枚の基板に、それぞれ形成されており、列電極Ｄ１〜Ｄｍと、一対の行電極Ｘ１〜Ｘｎおよび行電極Ｙ１〜Ｙｎとの交点に表示画素となる放電セルが構成される。
【０００９】
図２に示すように、プラズマディスプレイパネル駆動装置１００の駆動部１００Ｂは、行電極Ｘ１〜Ｘｎを駆動する行電極駆動部２０Ｘと、行電極Ｙ１〜Ｙｎを駆動する行電極駆動部２０Ｙと、列電極Ｄ１〜Ｄｍを駆動する列電極駆動部３０と、を備える。なお、図２では、１つの放電セルを構成する電極を、列電極Ｄ、行電極Ｘおよび行電極Ｙとして示している。
【００１０】
行電極駆動部２０Ｘは、Ｘサステインパルスをプラズマディスプレイパネル１０の行電極Ｘ１〜Ｘｎに同時に印加するサステインドライバ２１と、リセットパルスを発生させるリセットパルス発生回路２２と、を備える。
【００１１】
サステインドライバ２１は、１段目の共振回路を構成するコンデンサＣ３、コイルＬ５、ダイオードＤ５、スイッチＳＸ−Ｕ１、コイルＬ６、ダイオードＤ６およびスイッチＳＸ−Ｄ１と、２段目の共振回路を構成するコンデンサＣ４、コイルＬ７、ダイオードＤ７、スイッチＳＸ−Ｕ２、コイルＬ８、ダイオードＤ８およびスイッチＳＸ−Ｄ２と、を備える。また、サステインドライバ２１は、行電極Ｘを接地するためのスイッチＳＸ−Ｇと、電圧Ｖｓの電源Ｂ２１と、行電極Ｘの電位をＶｓに固定するためのスイッチＳＸ−Ｂとを備える。
【００１２】
行電極駆動部２０Ｙは、Ｙサステインパルスをプラズマディスプレイパネル１０の行電極Ｙ１〜Ｙｎに同時に印加するサステインドライバ２３と、リセットパルスを発生させるリセットパルス発生回路２４と、スキャンパルスを行電極Ｙ１〜Ｙｎに順次印加するスキャンドライバ２５と、を備える。
【００１３】
サステインドライバ２３は、１段目の共振回路を構成するコンデンサＣ１、コイルＬ１、ダイオードＤ１、スイッチＳＹ−Ｕ１、コイルＬ２、ダイオードＤ２およびスイッチＳＹ−Ｄ１と、２段目の共振回路を構成するコンデンサＣ２、コイルＬ３、ダイオードＤ３、スイッチＳＹ−Ｕ２、コイルＬ４、ダイオードＤ４およびスイッチＳＹ−Ｄ２と、を備える。また、サステインドライバ２３は、行電極Ｙを接地するためのスイッチＳＹ−Ｇと、電圧Ｖｓの電源Ｂ２３と、行電極Ｙの電位を電圧Ｖｓに固定するためのスイッチＳＹ−Ｂとを備える。
【００１４】
列電極駆動部３０は、列電極Ｄ１〜Ｄｍに接続されたアドレスドライバ３１と、アドレスドライバ３１に向けて駆動パルスを供給するアドレス共振電源回路３２と、を備える。
【００１５】
図３はサステインドライバ２１およびサステインドライバ２３の中点電圧を検出するための中点電圧検出部の回路を示す回路図である。図３に示すように、中点電圧検出部５０は２つのオペアンプ５１および５２と、抵抗Ｒ５１〜Ｒ５５と、電源Ｂ５１と、を備える。中点電圧検出部５０の入力ライン５３は、サステインドライバ２１の中点電圧発生点Ｐ２１、Ｐ２２、またはサステインドライバ２３の中点電圧発生点Ｐ２３、Ｐ２４に接続される。入力ライン５３はオペアンプ５１の負入力端子およびオペアンプ５２の正入力端子にそれぞれ接続されている。中点電圧検出部５０の動作については後述する。
【００１６】
次に、本実施形態のプラズマディスプレイパネル駆動装置１００の動作について説明する。
【００１７】
プラズマディスプレイパネル１０を駆動する期間としての１フィールドは、複数のサブフィールドＳＦ１〜ＳＦＮにより構成される。図４に示すように、各サブフィールドには、点灯させる放電セルを選択するアドレス期間と、そのアドレス期間において選択されたセルを所定時間点灯させ続けるサステイン期間とが設けられている。また、最初のサブフィールドであるＳＦ１の先頭部分には、前のフィールドでの点灯状態をリセットするためのリセット期間が設けられている。このリセット期間では、すべてのセルを発光セル（壁電荷が形成されているセル）に、または非発光セル（壁電荷が形成されていないセル）にリセットする。前者の場合には、後続のアドレス期間において所定のセルを非発光セルに切り換え、後者の場合には、後続のアドレス期間において所定のセルを発光セルに切り換える。サステイン期間はサブフィールドＳＦ１〜ＳＦＮの順に段階的に長くされており、点灯させ続けるサブフィールドの個数を変化させることにより、所定の階調表示が可能とされている。
【００１８】
図５に示す各サブフィールドのアドレス期間では、１ラインごとにアドレス走査が行われる。すなわち、第１のラインを構成する行電極Ｙ１に走査パルスが印加されると同時に、列電極Ｄ１〜Ｄｍに第１のラインのセルに対応するアドレスデータに応じたデータパルスＤＰ１が印加され、次に第２のラインを構成する行電極Ｙ２に走査パルスが印加されると同時に、列電極Ｄ１〜Ｄｍに第２のセルに対応するアドレスデータに応じたデータパルスＤＰ２が印加される。第３のライン以下についても同様に走査パルスおよびデータパルスＤ３が同時に印加される。最後に、第ｎのラインを構成する行電極Ｙｎに走査パルスが印加されると同時に、列電極Ｄ１〜Ｄｍに第ｎのラインのセルに対応するアドレスデータに応じたデータパルスＤＰｎが印加される。上記のようにアドレス期間では、所定のセルを発光セルから非発光セルに、または非発光セルから発光セルに切り換える。
【００１９】
このようにしてアドレス走査が終了すると、サブフィールドにおけるすべてのセルが、それぞれ発光セルあるいは非発光セルのいずれかに設定されており、次のサステイン期間においてサステインパルスが印加されるごとに発光セルのみ発光を繰り返す。図５に示すように、サステイン期間では行電極Ｘ１〜Ｘｎおよび行電極Ｙ１〜Ｙｎに対し、ＸサステインパルスおよびＹサステインパルスが、それぞれ所定のタイミングで繰り返し印加される。そして、最後のサブフィールドＳＦＮには、全セルを非発光セルに設定する消去期間が設けられている。
【００２０】
次に、図６を参照して、本実施形態のプラズマディスプレイパネル駆動装置１００において駆動パルスを発生させる際の動作について説明する。なお、図６では、リセット期間においてすべての放電セルを発光セルにリセットする例を示す。
【００２１】
プラズマディスプレイパネル駆動装置１００では、図２に示す駆動部１００Ｂ各部のスイッチを制御部１００Ａからの信号に基づいて所定のタイミングで切り換えることにより、駆動パルスを発生させる。以下に説明する各スイッチの切り替え制御は、制御部１００Ａからの制御信号に基づいて実行される。
【００２２】
図６に示すように、リセット期間（図４および図５）では、リセットパルス発生回路２２のリセットスイッチＳＸ−Ｒおよびリセットパルス発生回路２４のリセットスイッチＳＹ−Ｒを同時に所定時間オンする。
【００２３】
これにより、行電極Ｘ１〜Ｘｎおよび行電極Ｙ１〜Ｙｎに図６に示すような形状のリセットパルスが印加され、すべての放電セルに壁電荷が形成されて、全放電セルが発光セルにリセットされる。
【００２４】
図６に示すように、リセットスイッチＳＸ−ＲおよびリセットスイッチＳＹ−Ｒがオフすると、サステインドライバ２１のスイッチＳＸ−Ｇおよびサステインドライバ２３のスイッチＳＹ−Ｇがオンし、行電極Ｘ１〜Ｘｎおよび行電極Ｙ１〜Ｙｎの電位はアース電位に固定される（図２）。
【００２５】
以上のリセット期間において、すべての放電セルに壁電荷が形成され、これらの放電セルが発光セルにリセットされる。
【００２６】
次に、アドレス期間（図４および図５）では、スキャンドライバ２５のスイッチＳＹ−ｏｆｓがオンし、抵抗Ｒ３を介してサステインドライバ２３の出力ラインを−Ｖｏｆｓの電位に接続する。また、サステインドライバ２５のスイッチ２１をオフ→オン→オフの順序で、サステインドライバ２５のスイッチ２２をオン→オフ→オンの順序で、同期して切り換える（図２）。これにより、行電極Ｙｉの電位は「−Ｖｏｆｓ＋ＶＨ」→「−Ｖｏｆｓ」→「−Ｖｏｆｓ＋ＶＨ」の順序で変化する（図６）。
【００２７】
これと同時に、アドレスドライバ３１およびアドレス共振電源回路３２の各スイッチを順次切り換えることにより、行電極Ｙｉの電位が「−Ｖｏｆｓ」に低下するタイミングに合わせて列電極Ｄ１〜Ｄｍにデータパルスを印加する。
【００２８】
具体的には、図６に示すようにデータパルスＤＰをアドレス共振電源回路３２から出力する間、アドレスドライバ３１のスイッチＳ３１をオン、スイッチＳ３２をオフすることにより、アドレス共振電源回路３２の出力を列電極Ｄ１〜Ｄｍに接続する。
【００２９】
また、アドレス共振電源回路３２の出力が列電極Ｄ１〜Ｄｍに接続されている間、アドレス共振電源回路３２ではデータパルスＤＰを発生させる。すなわち、アドレス共振電源回路３２では、最初にスイッチＳＡ−Ｕをオンする。これにより、コンデンサＣ５に蓄積されていた電荷に基づく電流がコイルＬ９、ダイオードＤ９、スイッチＳＡ−ＵおよびスイッチＳ３１を介して列電極Ｄに流れ込み、列電極Ｄの電圧は徐々に上昇する。次にスイッチＳＡ−Ｂをオンすることにより、列電極Ｄの電圧が電圧ＶＡに固定される。次に、スイッチＳＡ−ＵおよびスイッチＳＡ−ＢをオフするとともにスイッチＳＡ−Ｄをオンする。これにより、放電セルに蓄積されていた電荷に基づく電流がスイッチＳ３１、コイルＬ１０、ダイオードＤ１０およびスイッチＳＡ−Ｄを介してコンデンサＣ５に流れ込む。このため、列電極Ｄの電位が徐々に下降する。最後にスイッチＳＡ−Ｄをオフするとともに、アドレスドライバ３１のスイッチＳ３１をオフ、スイッチＳ３２をオンする。これにより列電極Ｄがアドレス共振電源回路３２から切り離されて接地され、列電極Ｄの電位が０Ｖに固定される。
【００３０】
次に、サステイン期間（図４および図５）では、サステインドライバ２１およびサステインドライバ２３において、ＸサステインパルスおよびＹサステインパルスをそれぞれ発生させる。
【００３１】
図６に示すように、サステインドライバ２１では、スイッチＳＸ−Ｕ１をオン、スイッチＳＸ−Ｄ１、スイッチＳＸ−Ｄ２およびスイッチＳＸ−Ｇをそれぞれオフする。この結果、スイッチＳＸ−Ｕ１のみがオンした状態となる。このため、コイルＬ５のインダクタンスおよび放電セルの行電極間容量Ｃｐのキャパシティに基づく共振により、コンデンサＣ３に蓄積されていた電荷に基づく電流が、コイルＬ５、ダイオードＤ５、スイッチＳＸ−Ｕ１および行電極Ｘを介して放電セルの行電極間容量Ｃｐに流れ込むため、行電極Ｘの電位が約１／２Ｖｓまで上昇する。
【００３２】
次に、スイッチＳＸ−Ｕ２をオンすると、コイルＬ７のインダクタンスおよび放電セルの行電極間容量Ｃｐのキャパシティに基づく共振により、コンデンサＣ４に蓄積されていた電荷に基づく電流が、コイルＬ７、ダイオードＤ７およびスイッチＳＸ−Ｕ２を介して行電極間容量Ｃｐに流れ込むため、行電極Ｘの電位が約Ｖｓまで上昇する。次に、スイッチＳＸ−Ｂをオンすることにより、行電極Ｘの電位をＶｓに固定する。
【００３３】
次に、スイッチＳＸ−Ｕ１、スイッチＳＸ−Ｕ２およびスイッチＳＸ−Ｂをオフし、スイッチＳＸ−Ｄ２をオンする。この結果、スイッチＳＸ−Ｄ２のみがオンした状態となる。このため、コイルＬ８のインダクタンスおよび放電セルの行電極間容量Ｃｐのキャパシティに基づく共振により、行電極間容量Ｃｐに蓄積されていた電荷に基づく電流が、行電極Ｘ、コイルＬ８、ダイオードＤ８およびスイッチＳＸ−Ｄ２を介してコンデンサＣ４に流れ込むため、行電極Ｘの電位が約１／２Ｖｓまで下降する。
【００３４】
次に、スイッチＳＸ−Ｄ１をオンすると、コイルＬ６のインダクタンスおよび放電セルの行電極間容量Ｃｐのキャパシティに基づく共振により、上記電荷に基づく電流が、行電極Ｘ、コイルＬ６、ダイオードＤ６およびスイッチＳＸ−Ｄ１を介してコンデンサＣ３に流れ込むため、行電極Ｘの電位が０Ｖ付近まで下降する。最後にスイッチＳＸ−Ｇをオンすることで、行電極Ｘの電位を０Ｖに固定する。
【００３５】
行電極Ｘの電位が０Ｖに固定された後、サステインドライバ２３では、スイッチＳＹ−Ｕ１をオン、スイッチＳＹ−Ｄ１、スイッチＳＹ−Ｄ２およびスイッチＳＹ−Ｇをそれぞれオフする。この結果、スイッチＳＹ−Ｕ１のみがオンした状態となる。このため、コイルＬ１のインダクタンスおよび放電セルの行電極間容量Ｃｐのキャパシティに基づく共振により、コンデンサＣ１に蓄積されていた電荷に基づく電流が、コイルＬ１、ダイオードＤ１、スイッチＳＹ−Ｕ１および行電極Ｙを介して行電極間容量Ｃｐに流れ込むため、行電極Ｙの電位が約１／２Ｖｓまで上昇する。
【００３６】
次に、スイッチＳＹ−Ｕ２をオンすると、コイルＬ３のインダクタンスおよび放電セルの行電極間容量Ｃｐのキャパシティに基づく共振により、コンデンサＣ２に蓄積されていた電荷に基づく電流が、コイルＬ３、ダイオードＤ３およびスイッチＳＹ−Ｕ２を介して行電極間容量Ｃｐに流れ込むため、行電極Ｙの電位が約Ｖｓまで上昇する。次に、スイッチＳＹ−Ｂをオンすることにより、行電極Ｙの電位をＶｓに固定する。
【００３７】
次に、スイッチＳＹ−Ｕ１、スイッチＳＹ−Ｕ２およびスイッチＳＹ−Ｂをオフし、スイッチＳＹ−Ｄ２をオンする。この結果、スイッチＳＹ−Ｄ２のみがオンした状態となる。このため、コイルＬ４のインダクタンスおよび放電セルの行電極間容量Ｃｐのキャパシティに基づく共振により、行電極間容量Ｃｐに蓄積されていた電荷に基づく電流が、行電極Ｙ、コイルＬ４、ダイオードＤ４およびスイッチＳＹ−Ｄ２を介してコンデンサＣ２に流れ込むため、行電極Ｙの電位が約１／２Ｖｓまで下降する。
【００３８】
次に、スイッチＳＹ−Ｄ１をオンすると、上記電荷に基づく電流が、行電極Ｙ、コイルＬ２、ダイオードＤ２およびスイッチＳＹ−Ｄ１を介してコンデンサＣ１に流れ込むため、行電極Ｙの電位が０Ｖ付近まで下降する。最後にスイッチＳＹ−Ｇをオンすることで、行電極Ｙの電位を０Ｖに固定する。
【００３９】
以上の動作を繰り返すことにより、図６に示すような波形のＸサステインパルスおよびＹサステインパルスを交互に発生させ、アドレス期間において選択された放電セルを所定回数発光させる。
【００４０】
このように、本実施形態では、コイルと行電極間容量Ｃｐとの共振を利用して所定の駆動電圧を獲得しており、各コイルがエネルギーを蓄積、放出する回収コイルとして機能する。したがって、消費電力の少ない高効率の駆動装置を得ることができる。また、共振回路を２段にわたり設けることにより、図６に示すように、穏やかに変化する波形のサステインパルスを得ることができる。
【００４１】
次に、中点電圧検出部５０の動作について説明する。
【００４２】
図６に示す動作タイミングに従ってサステインドライバ２１が正常に動作している場合、中点電圧発生点Ｐ２１の電位は約１／４Ｖｓとなり、中点電圧発生点Ｐ２２の電位は約３／４Ｖｓとなる。また、同様にサステインドライバ２３が正常に動作している場合、中点電圧発生点Ｐ２３の電位は約１／４Ｖｓとなり、中点電圧発生点Ｐ２４の電位は約３／４Ｖｓとなる。なお、中点電圧発生点Ｐ２１の電位はコンデンサＣ３の両端子間電圧に、中点電圧発生点Ｐ２２の電位はコンデンサＣ４の両端子間電圧に、中点電圧発生点Ｐ２３の電位はコンデンサＣ１の両端子間電圧に、中点電圧発生点Ｐ２４の電位はコンデンサＣ２の両端子間電圧に、それぞれ対応する。
【００４３】
しかし、サステインドライバ２１に供給される制御信号の異常により動作タイミングがずれたり、あるいはサステインドライバ２１の故障が発生すると、中点電圧発生点Ｐ２１あるいは中点電圧発生点Ｐ２２の電位にずれが生じる。また、サステインドライバ２３に供給される制御信号の異常により動作タイミングがずれたり、あるいはサステインドライバ２３の故障が発生すると、中点電圧発生点Ｐ２３あるいは中点電圧発生点Ｐ２４の電位にずれが生じる。
【００４４】
中点電圧検出部５０は、このような中点電圧発生点Ｐ２１〜Ｐ２４の電位の変動を検出し、検出信号を出力する。
【００４５】
例えば、中点電圧検出部５０の入力ライン５３が中点電圧発生点Ｐ２１に接続される場合、電源Ｂ５１の電圧を分割する分圧抵抗として機能する抵抗Ｒ５１〜Ｒ５３の値を適宜選択することにより、オペアンプ５１の正入力端子を上限電位に、オペアンプの負入力端子を下限電位に、それぞれ設定する（図３）。
【００４６】
入力ライン５３はオペアンプ５１の負入力端子およびオペアンプ５２の正入力端子にそれぞれ接続されているため、入力ライン５３の電位、すなわち中点電圧発生点Ｐ２１の電位が上限電位を上回ると、オペアンプ５１の出力電位が負となり、負電位の検出信号が出力される。また、入力ライン５３の電位、すなわち中点電圧発生点Ｐ２１の電位が下限電位を上回ると、こんどはオペアンプ５２の出力電位が負となり、負電位の検出信号が出力される。中点電圧発生点Ｐ２１の電位が下限と上限の中間にある場合、すなわち正常な場合には、オペアンプ５１およびオペアンプ５２の出力はオープン状態となり、検出信号は正電位をとる。
【００４７】
したがって、中点電圧発生点Ｐ２１の電位が予め設定された上限あるいは下限を越えると、検出信号（負信号）が出力されることになる。本実施形態では、検出信号（負信号）は制御部１００Ａ（図１）に送出され、制御部１００Ａから駆動部１００Ｂへの制御信号の出力を停止するようにしている。このため、中点電圧発生点の電位が異常を示す場合、駆動部１００Ｂの動作を停止させることができる。これにより、例えば、サステインドライバに設けられた２段の共振回路のうち、１段の共振回路のみが動作するような不都合を回避することができる。
【００４８】
サステインドライバ２１の中点電圧発生点Ｐ２２、あるいはサステインドライバ２３の中点電圧発生点Ｐ２３、Ｐ２４の電位の異常についても、同様の方法で検出することができる。この場合、各中点電圧発生点における電位の上限および下限は、抵抗Ｒ５１〜Ｒ５３の値を選択することで適宜設定できる。
【００４９】
このように、本実施形態では、中点電圧検出部５０において、中点電圧発生点Ｐ２１〜Ｐ２４の電位が上限あるいは下限を越えたことを検出するようにしているので、動作異常を速やかに検出し、適切な制御を実行できる。なお、本実施形態では、中間電圧発生点の電位が異常に上昇した場合、および異常に下降した場合のいずれについても異常を検出するようにしているが、いずれか一方の場合のみを異常として検出するようにしてもよい。また、異常検出の対象となる中点電圧発生点は適宜選択できる。例えば、サステインドライバ２１の異常を検出するために、中点電圧発生点Ｐ２１およびＰ２２のいずれか一方について電位の変動を検出してもよいし、両者を検出してもよい。２段の共振回路のうちの一方が動作異常を発生させた場合には、他方の共振回路の中間電圧発生点の電圧は異常値を示す。このため、一方の共振回路についてのみ中間電圧発生点の電圧異常を検出することで、他方の共振回路の異常動作を検知することができる。
【００５０】
以上説明したように、本発明による容量性負荷駆動装置は、コンデンサＣ３と行電極間容量Ｃｐとの間に設けられた、コイルＬ５、スイッチＳＸ−Ｕ１、コイルＬ６およびスイッチＳＸ−Ｄ１を含む１段目の共振回路と、コンデンサＣ４と行電極間容量Ｃｐとの間に設けられた、コイルＬ７、スイッチＳＸ−Ｕ２、コイルＬ８およびスイッチＳＸ−Ｄ２を含む２段目の共振回路と、コンデンサＣ３の端子間電圧が所定範囲外に変動したときに検出信号を出力する中点電圧検出部５０と、を備え、コイルＬ５と行電極間容量Ｃｐとの共振、またはコイルＬ６と行電極間容量Ｃｐとの共振により行電極Ｘの電位を０Ｖから１／２Ｖｓの間で遷移させ、コイルＬ７と行電極間容量Ｃｐとの共振、またはコイルＬ８と行電極間容量Ｃｐとの共振により行電極Ｘの電位を１／２ＶｓからＶｓの間で遷移させている。
【００５１】
このように、本実施形態では、２段の共振回路を利用して高電圧を得ているので、共振回路に含まれる各コイルが、エネルギーを蓄積、開放する回収コイルとして機能する。したがって、高効率の駆動装置を獲得することができる。また、本実施形態では、中点電圧検出部５０によりコンデンサＣ３等の端子間電圧が所定範囲外に変動したことを検出するようにしたので、駆動装置の異常を速やかに検出して適切な制御を実行できる。
【００５２】
なお、上記実施形態および特許請求の範囲の記載について、コンデンサＣ３およびコンデンサＣ１が「第１の電源」に、コンデンサＣ４およびコンデンサＣ２が「第２の電源」に、中点電圧検出部５０が「電圧変動検出手段」に、スイッチＳＸ−Ｕ１、スイッチＳＸ−Ｄ１、スイッチＳＹ−Ｕ１およびスイッチＳＹ−Ｄ１が「第１のスイッチ手段」に、コイルＬ５、コイルＬ６、コイルＬ１およびコイルＬ２が「第１のインダクタンス」に、スイッチＳＸ−Ｕ２、スイッチＳＸ−Ｄ２、スイッチＳＹ−Ｕ２およびスイッチＳＹ−Ｄ２が「第２のスイッチ手段」に、コイルＬ７、コイルＬ８、コイルＬ３およびコイルＬ４が「第２のインダクタンス」に、コンデンサＣ１〜Ｃ４が「キャパシティ」に、それぞれ対応する。
【００５３】
上記実施形態では、プラズマディスプレイパネルを駆動する駆動装置を例示したが、本発明による駆動装置はプラズマディスプレイあるいは他の表示パネルを駆動する駆動装置に限定されることなく、容量性負荷を駆動する駆動装置について広く適用できる。
【図面の簡単な説明】
【図１】本実施形態のプラズマディスプレイパネル駆動装置およびプラズマディスプレイパネルの構成を示す図であり、（ａ）は本実施形態のプラズマディスプレイパネル駆動装置の構成を示すブロック図、（ｂ）はプラズマディスプレイパネルの構成を示す図。
【図２】制御部の回路を示す回路図。
【図３】中点電圧を検出するための中点電圧検出部の回路を示す回路図。
【図４】１フィールドの構成を示す図。
【図５】１サブフィールド内の駆動パルスを示す図。
【図６】駆動パルスを発生させるための動作を示すタイミングチャート。
【符号の説明】
５０    中点電圧検出部（電圧変動検出手段）
Ｃ１、Ｃ３  コンデンサ（第１の電源、キャパシティ）
Ｃ２，Ｃ４  コンデンサ（第２の電源、キャパシティ）
Ｌ１、Ｌ２、Ｌ５、Ｌ６  コイル（第１のインダクタンス）
Ｌ３、Ｌ４、Ｌ７、Ｌ８  コイル（第２のインダクタンス）
ＳＸ−Ｕ１、ＳＸ−Ｄ１、ＳＹ−Ｕ１、ＳＹ−Ｄ１  スイッチ（第１のスイッチ手段）
ＳＸ−Ｕ２、ＳＸ−Ｄ２、ＳＹ−Ｕ２、ＳＹ−Ｄ２  スイッチ（第２のスイッチ手段）
【図１】
2004272041.tif 000003
【図２】
2004272041.tif 000004
【図３】
2004272041.tif 000005
【図４】
2004272041.tif 000006
【図５】
2004272041.tif 000007
【図６】
2004272041.tif 000008